(57)【要約】【課題】  ネットワークにつながれた各装置が、ノイズ情報伝達用のパケットを送信することにより、ネットワーク上のどの装置もノイズ情報を把握可能とする装置の提供。【解決手段】  監視回路１０５で伝送路を介して受信される信号レベルを監視し、サンプリング解析部１０６で解析し、解析結果に基づき、ノイズ情報伝達パケット生成部及びコントロール部１０９にてノイズ情報を伝達するパケットを生成し、生成した前記パケットを出力回路１０３から伝送路を介して送信する。また、伝送路を介して送信されるノイズ情報を伝達するパケットを受信すると、コントロール部１０９は、前記パケットからノイズ情報を抽出し、補正指示回路１０７に供給し、補正指示回路１０７の出力に基づき、出力回路１０３の送信レベルを可変制御する。【選択図】            図１
2006333239.tif 000002
【特許請求の範囲】
【請求項１】
一のノード装置から伝送路を介して受信される信号レベルを監視する手段と、
前記監視結果に基づき、ノイズ情報を伝達するためのパケットを生成する手段と、
生成した前記パケットを伝送路に送出する手段と、
を備え、
前記伝送路に送出された前記パケットは、直接に、又は、１つ又は複数の他のノード装置を介して、前記一のノード装置に伝送される、ことを特徴とするインタフェース装置。
【請求項２】
伝送路を介して他のノード装置から送信される、ノイズ情報を伝達するためのパケットを受信する手段と、
前記パケットからノイズ情報を抽出し、伝送路に信号を送出する出力回路の出力レベルを可変制御する手段と、
を備えている、ことを特徴とするインタフェース装置。
【請求項３】
一のノード装置から伝送路を介して受信される信号レベルを監視する手段と、
前記監視結果に基づき、ノイズ情報を伝達するためのパケットを生成する手段と、
生成した前記パケットを伝送路に送出する手段と、
伝送路を介して他のノード装置から送信される、ノイズ情報を伝達するためのパケットを受信する手段と、
前記パケットからノイズ情報を抽出し、伝送路に信号を送出する出力回路の出力レベルを可変制御する手段と、
を備えている、ことを特徴とするインタフェース装置。
【請求項４】
前記伝送路からの受信信号の入力レベルを監視する監視回路と、
前記監視回路の監視結果をサンプリングして解析するサンプリング解析部と、
前記サンプリング解析部での監視結果の解析結果を記録するレジスタと、
前記レジスタに記録される前記監視結果の解析結果に基づき、ノイズ情報を伝達するためのパケットを生成するノイズ情報伝達パケット生成部と、
前記パケットを伝送路に送信する出力回路と、
伝送路からの信号を受信する入力回路と、
前記入力回路で受信したノイズ情報を伝達するためのパケットからノイズ情報を抽出するコントロール部と、
前記コントロール部からノイズ情報を受け取り、補正指示を出力する補正指示回路と、
前記パケットを伝送路に送信する出力回路と、
を備え、
前記出力回路は、前記補正指示回路からの補正指示を受けて出力レベルを可変させる、ことを特徴とする請求項１乃至３のいずれか一に記載のインタフェース装置。
【請求項５】
一のノード装置から伝送路を介して受信される信号レベルを監視する手段と、
前記監視結果に基づき、伝送路に信号を送出する出力回路の出力レベルを可変制御する手段と、
を備えている、ことを特徴とするインタフェース装置。
【請求項６】
前記伝送路からの受信信号の入力レベルを監視する監視回路と、
前記監視回路の監視結果をサンプリングして解析するサンプリング解析部と、
前記サンプリング解析部での監視結果の解析結果に基づき、補正指示を出力する補正指示回路と、
前記補正指示回路からの補正指示を受けて出力レベルを可変させる出力回路と、
を備えている、ことを特徴とする請求項５記載のインタフェース装置。
【請求項７】
一のノード装置から伝送路を介して受信される信号レベルを監視する手段と、
前記監視結果に基づき、ノイズ情報を伝達する信号として、通常レートよりも低速のパルス信号を生成し、生成した前記パルス信号を伝送路に送出する手段と、
を備え、
前記伝送路に送出された前記ノイズ情報を伝達する信号は、直接に、又は、１つ又は複数の他のノード装置を介して、前記一のノード装置に伝送される、ことを特徴とするインタフェース装置。
【請求項８】
伝送路を介して他のノード装置から送信される、ノイズ情報を伝達するための信号として、通常レートよりも低速のパルス信号を受信する手段と、
受信した前記低速パルス信号からノイズ情報を抽出し、伝送路に信号を送出する出力回路の出力レベルを可変制御する手段と、
を備えている、ことを特徴とするインタフェース装置。
【請求項９】
前記伝送路が、シリアルバスよりなる、ことを特徴とする請求項１乃至８のいずれか一記載のインタフェース装置。
【請求項１０】
請求項１乃至９のいずれか一に記載のインタフェース装置を備えたノード装置。
【請求項１１】
前記ノード装置が、一対一の二重通信、一対一の一重通信、ネットワーク通信、及び、ループ通信のうちのいずれかのノードを構成している、ことを特徴とする請求項１０記載のノード装置。
【請求項１２】
インタフェース装置が、一のノード装置から伝送路を介して受信される信号レベルを監視する工程と、
前記インタフェース装置が、前記監視結果に基づき、ノイズ情報を伝達するためのパケットを生成する工程と、
前記インタフェース装置が、生成した前記パケットを伝送路に送信する工程と、
を含み、
前記伝送路に送信された前記パケットは、直接に、又は、１又は複数の他のノード装置を介して、前記一のノード装置に伝送される、ことを特徴とする通信制御方法。
【請求項１３】
伝送路を介して他のノード装置から送信される、ノイズ情報を伝達するためのパケットを受信する工程と、
前記パケットからノイズ情報を抽出し、伝送路に信号を送出する出力回路の出力レベルを可変制御する工程と、
を含む、ことを特徴とする通信制御方法。
【請求項１４】
インタフェース装置が、一のノード装置から伝送路を介して受信される信号レベルを監視する工程と、
前記インタフェース装置が、該監視結果に基づき、伝送路に信号を送出する出力回路の出力レベルを可変制御する工程と、
を含む、ことを特徴とする通信制御方法。
【請求項１５】
インタフェース装置が、一のノード装置から伝送路を介して受信される信号レベルを監視する工程と、
前記インタフェース装置が、前記監視結果に基づき、ノイズ情報を伝達する信号として、通常レートよりも低速のパルス信号を生成し、生成した前記パルス信号を伝送路に送出する工程と、
を含み、
前記伝送路に送信された、前記ノイズ情報を伝達する信号は、直接に、又は、１つ又は複数の他のノード装置を介して、前記一のノード装置に伝送される、ことを特徴とする通信制御方法。
【請求項１６】
インタフェース装置が、伝送路を介して他のノード装置から送信される、ノイズ情報を伝達するための信号として、通常レートよりも低速のパルス信号を受信する工程と、
インタフェース装置が、受信した前記低速パルス信号から、ノイズ情報を抽出し、伝送路に信号を送出する出力回路の出力レベルを可変制御する工程と、
を含む、ことを特徴とする通信制御方法。
【発明の詳細な説明】
【技術分野】
【０００１】
本発明は、バスシステムに関し、特に、ＰＣ（パーソナルコンピュータ）、デジタル家電などのデジタル製品で採用されるＩＥＥＥ１３９４等のシリアルバスに適用して好適なインタフェース装置及び方法に関する。
【背景技術】
【０００２】
ＩＥＥＥ１３９４等のシリアルインタフェースで構成される高速ネットワークでは、ケーブルラインに乗るノイズにより動作が不安定になることがある。例えば工場等のノイズの多い環境で使用した場合に生じる。この対策として、ケーブルにノイズ対策を施す手法もあるが、シールド等はコスト高となる。特に、高速信号伝送の場合、ケーブルにノイズ対策を施す手法で完璧を期すことは難しい。
【０００３】
図７は、伝送路へのデータ送受信を行うインタフェース装置の典型的な構成を示す図である。図７を参照すると、このインタフェース装置は、アプリケーション側の上位ロジック２０１と、データ送受信を行うデータ送受信ロジック２０２と、出力回路２０３と、入力回路２０４とを備えている。図７に示した構成のインタフェース装置を有するノード装置（単に、装置ともいう）が、図８（Ａ）乃至図８（Ｄ）のように接続され、一対一通信や、ネットワーク通信が可能となる。
【０００４】
図８（Ａ）において、装置Ａ、装置Ｂは、一対一の二重通信を実現している。
【０００５】
図８（Ｂ）において、装置Ｃ、装置Ｄ、装置Ｅはネットワーク通信を実現している。
【０００６】
図８（Ｃ）において、装置Ｆ、装置Ｇは、一対一の一重通信を実現している。
【０００７】
図８（Ｄ）において、装置Ｈ、装置Ｉ、装置Ｊは、ループ通信を実現している。
【０００８】
なお、特許文献１には、障害フレームを確実に消去できる伝送システムとして、伝送路で各ノードが接続され、相互にデータを送受信する伝送システムにおいて、各ノードは、伝送路からの通信フレームを受信したり送信データを通信フレームにて伝送路に送信する伝送路インタフェースと、受信フレーム内の周回処理識別子を＋１して更新し、その値が所定値に達しているかチェックし、消去されずに伝送路を周回する障害フレームか否かをチェックする周回データ処理部と、上位プロトコル処理部から送信要求が発せられた送信データに周回処理識別子を付加する送信処理と、自ノード宛の受信データの受信処理と、自ノード宛でない受信データを下流へリピートする送信処理で障害フレームのリピートは中止する送受信処理部を備えた構成が開示されている。
【０００９】
図８（Ａ）乃至図８（Ｄ）に模式的に示したように、伝送路にノイズ（例えばランダムノイズ）がのった場合には、受信側での信号が不安定になり、正常な通信が困難となる。大きなノイズの場合には、データエラーが続くことになる。そこで、特許文献１にあるような周回データ処理部を備えることは、ネットワークの管理の点から有効である。
【００１０】
【特許文献１】特開平１１−３２０６７号公報
【発明の開示】
【発明が解決しようとする課題】
【００１１】
しかしながら、特許文献１等のシステムの場合、集めた送信レベル情報を基に、送信回路を調整することができず、このため、ノイズにより障害が生じた場合の復旧を行うことができない。
【課題を解決するための手段】
【００１２】
本発明の１つのアスペクトに係る装置は、一のノード装置から伝送路を介して受信される信号レベルを監視する手段と、前記監視結果に基づき、ノイズ情報を伝達するためのパケットを生成する手段と、生成した前記パケットを伝送路に送信する手段と、を備え、前記伝送路に送信された前記パケットは、直接に、又は、１つ又は複数の他のノード装置を介して、前記一のノード装置に伝送される。
【００１３】
本発明に係るインタフェース装置は、伝送路を介して他のノード装置から送信される、ノイズ情報を伝達するためのパケットを受信する手段と、前記パケットからノイズ情報を抽出し、伝送路に信号を送出する出力回路の出力レベルを可変制御する手段と、を備えている。
【００１４】
本発明の他のアスペクトに係るインタフェース装置は、一のノード装置から伝送路を介して受信される信号レベルを監視し、該監視結果に基づき、出力回路の送信レベルを可変制御する手段を備えている。
【００１５】
本発明において、パケットの代わりに、パルス信号等の信号を伝送するようにしてもよい。
【００１６】
本発明において、上記インタフェース装置を備えたノード装置は、一対一の二重通信、一対一の一重通信、ネットワーク通信、及び、ループ通信のいずれかのノードを構成している。
【００１７】
本発明の他のアスペクトに係る方法は、インタフェース装置が、一のノード装置から伝送路を介して受信される信号レベルを監視する工程と、
前記インタフェース装置が、前記監視結果に基づき、ノイズ情報を伝達するためのパケットを生成する工程と、
前記インタフェース装置が、生成した前記パケットを伝送路に送信する工程と、
を含み、前記伝送路に送信された前記パケットは、直接に、又は、１又は複数の他のノード装置を介して、前記一のノード装置に伝送される。
【００１８】
本発明に係る方法は、伝送路を介して他のノード装置から送信される、ノイズ情報を伝達するためのパケットを受信する工程と、
前記パケットからノイズ情報を抽出し、伝送路に信号を送出する出力回路の出力レベルを可変制御する工程と、を含む。
【００１９】
本発明の他のアスペクトに係る方法は、インタフェース装置が、一のノード装置から伝送路を介して受信される信号レベルを監視する工程と、
前記インタフェース装置が、該監視結果に基づき、伝送路に信号を送出する出力回路の出力レベルを可変制御する工程と、
を含む。
【発明の効果】
【００２０】
本発明によれば、ネットワークにつながれた各装置が、ノイズ情報伝達用のパケットを送信することにより、ネットワーク上のどの装置もノイズ情報を把握することができる。
【００２１】
また、本発明によれば、各装置がノイズ情報伝達用のパケットを用いて出力回路の送信レベルを調整することにより、的確にノイズに対応した送信レベルを実現することができる。この結果、ノイズ耐性を向上したネットワークを構築することを可能としている。
【発明を実施するための最良の形態】
【００２２】
上記した本発明についてさらに詳細に説述すべく添付図面を参照して以下に説明する。
本発明は、その一実施形態において、一のノード装置から伝送路を介して受信される信号レベルを監視する手段（１０５）と、前記監視結果に基づき、ノイズ情報を伝達するためのパケットを生成する手段（１０９）と、生成した前記パケットを伝送路に送出する手段（１０２、１０３）と、を備え、前記伝送路に送出された前記パケットは、直接に、又は、１つ又は複数の他のノード装置を介して、前記一のノード装置に伝送される。本発明においては、伝送路を介して他のノード装置から送信される、ノイズ情報を伝達するためのパケットを受信する手段（１０４）と、前記パケットからノイズ情報を抽出する手段（１０９）と、伝送路に信号を送出する出力回路（１０３）の出力レベルを可変制御する手段（１０７）と、を備えている。
【００２３】
本発明の他の実施形態においては、一のノード装置から伝送路を介して受信される信号レベルを監視する手段（１０５）と、前記監視結果に基づき、伝送路に信号を送出する出力回路（１０３）の出力レベルを可変制御する手段（１０７）と、を備えた構成としてもよい。以下実施例に即して説明する。
【実施例】
【００２４】
図１、図２は、本発明の第１の実施例の構成を示す図である。なお、図１及び図２に示された構成は、同一であるが、それぞれの処理フロー（太い矢線で示す）が異なるため、別図面としてある。
【００２５】
図１を参照すると、本発明の第１の実施例のインタフェース回路は、アプリケーション側の上位ロジック１０１と、データ送受信を行うデータ送受信ロジック１０２と、出力回路１０３と、入力回路１０４と、監視回路１０５と、サンプリング解析部１０６と、補正指示回路１０７と、レジスタ１０８と、ノイズ情報伝達パケット生成＋コントロール部１０９を備えている。
【００２６】
出力回路１０３は、補正指示回路１０７からの指示を受け、出力レベル（あるいは送信電力）が可変に設定自在とされる。
【００２７】
監視回路１０５は、受信データの入力レベルを監視する。
【００２８】
サンプリング解析部１０６は、監視回路１０５から出力される入力レベルの監視情報をサンプリングして解析する。
【００２９】
レジスタ１０８は、サンプリング解析部１０６での解析結果を格納する。
【００３０】
ノイズ情報伝達パケット生成＋コントロール部１０９は、ノイズ情報伝達パケット生成部とコントロール部よりなり、ノイズ情報伝達パケット生成部は、レジスタ１０８の解析結果に基づき、ノイズ情報伝達パケットを生成し、データ送受信ロジック１０２に供給する。また、コントロール部は、入力回路１０４が、ノイズ情報伝達パケットを受信した場合、補正指示回路１０７にノイズ情報を通知する（図２を参照して説明される）。
【００３１】
補正指示回路１０７は、ノイズ情報伝達パケット生成＋コントロール部１０９のコントロール部からのノイズ情報を受け、出力回路１０３に出力レベルの変更指示を出力する。
【００３２】
データ送受信ロジック１０２は、ノイズ情報伝達パケット生成＋コントロール部１０９からノイズ情報伝達パケットを受け取り、該ノイズ情報伝達パケットの伝送路への送信を出力回路１０３に依頼する。
【００３３】
以下、図１を参照して、本実施例における、データ監視からノイズ情報伝達パケット送信までの動作を説明する。なお、図１の太矢線の下の括弧内の数字は、データ監視からノイズ情報伝達パケット送信までの処理手順（ステップ）の番号を表している。
【００３４】
ステップ１：入力回路１０４に入る受信データと同じ受信データを監視回路１０５に入力する。
【００３５】
ステップ２：監視回路１０５では、受信データのレベルをコンパレータ回路（不図示）で判定し、判定結果情報を、サンプリング解析部１０６に転送する。
【００３６】
ステップ３：サンプリング解析部１０６は、監視回路１０５からの判定結果情報を基に、精度に応じたサンプリング解析を実行して論理情報（振幅、立ち上がり時間、下がり時間、信号継続時間などに関する論理情報）に変換し、この論理情報をレジスタ１０８に格納する。サンプリング解析部１０６における監視回路１０５からの判定結果情報のサンプリング周期、サンプリング精度（分解能）等は、好ましくは、可変に設定自在とされる。なお、監視回路１０５とサンプリング解析部１０６では、ノイズの時間平均等の統計解析等の時間領域での解析のほか、周波数スペクトラムの導出等、周波数領域での解析を行うことで、伝送路の状態を推定するようにしてもよい。あるいは、受信信号の状態を解析するために、信号対雑音比（SNR）、あるいは、ビット、ブロック誤り率等を導出するようにしてもよい。
【００３７】
ステップ４：ノイズ情報伝達パケット生成＋コントロール部１０９は、レジスタ１０８に格納された情報（監視結果解析情報）を入力する。
【００３８】
ステップ５：ノイズ情報伝達パケット生成＋コントロール部１０９は、レジスタ１０８に格納された情報に基づき、例えばノイズが予め定められた基準値よりも大である場合、ネットワークシステム全体で予め決められたパケットフォーマットに変換して、ノイズ情報伝達パケットを生成し、データ送受信ロジック１０２に供給する。
【００３９】
ステップ６：データ送受信ロジック１０２は、ノイズ情報伝達パケットを送信ロジックにのせ、出力回路１０３に転送する。
【００４０】
ステップ７：出力回路１０３は、ノイズ情報伝達パケットをネットワークに送信する。
【００４１】
次に図２を参照して、本実施例における、ノイズ情報伝達パケット受信から送信レベルの調整までの動作を説明する。なお、図２の太矢線の下の括弧内の数字は、ノイズ情報伝達パケットの受信から送信レベルの調整までの処理手順（ステップ）の番号を表している。
【００４２】
ステップ１：ノイズ情報伝達パケットを受信する。すなわち、伝送路に他のノードから送信されたノイズ情報伝達パケットが入力回路１０４に入力される。
【００４３】
ステップ２：入力回路１０４は、ノイズ情報伝達パケットをデータ送受信ロジック１０２に供給する。
【００４４】
ステップ３：ノイズ情報伝達パケット生成＋コントロール部１０９のコントロール部は、ネットワーク全体で決められたフォーマット（すなわちノイズ情報伝達パケットであること）が確認できたとき、かつ、自装置宛のパケットであったときに、ノイズ情報伝達パケットを取り込む。
【００４５】
ステップ４：ノイズ情報伝達パケット生成＋コントロール部１０９は、パケットの内容（ノイズ情報）を抽出し、補正指示回路１０７へ送る。
【００４６】
ステップ５：補正指示回路１０７は、パケットのノイズ情報をデコードし、デコードした結果に応じて、出力回路１０３に、補正指示を送る。出力回路１０３は、指示された出力レベルの波形を出力する。
【００４７】
図３及び図４は、図１及び図２を参照して説明した本発明の第１の実施例の送受信機構を持つノード装置（単に、「装置」という）をネットワークに接続したときの構成を示している。なお、図３及び図４において、ノイズ解析等のボックスに付加した括弧内の数字は、当該ボックスの処理（ステップ）の番号を表している。各装置は、図１及び図２を参照して説明した構成のインタフェース装置を備えている。以下では、装置Ｅから送信された信号にランダムノイズ１がのり、送信波形が劣化した（波形歪み等）場合について説明する。
【００４８】
装置Ｄは、監視回路（図１の１０５）とサンプリング解析部（図１の１０６）により、受信レベルのノイズ解析を行い（ステップ１のノイズ解析）、ノイズ情報伝達パケットを送信する（ステップ２の情報送信）。
【００４９】
装置Ｃは、ノイズ情報伝達パケットを受信し（ステップ３の情報受信）、ノイズ情報伝達パケットを出力回路１０３から装置Ｅへ転送する（ステップ４の情報送信）。ＩＥＥＥ１３９４では、受信したデータを自動的に他に接続された伝送路へ転送する。
【００５０】
装置Ｅは、ノイズ情報伝達パケットを入力回路１０４で受信し（ステップ５の情報受信）、送信レベルの調整を行う（ステップ６の送信調整）。
【００５１】
以上の一連の処理により、ランダムノイズ１に対応した送信波形に調整することが可能となり、安定したネットワークを構築できる。
【００５２】
また、図４に示すように、装置Ａから送信された信号にランダムノイズ２がのり、送信波形が劣化した（波形歪み等）場合についても、同様にして、装置Ｂは、監視回路（図１の１０５）とサンプリング解析部（図１の１０６）により、受信レベルのノイズ解析を行い（ステップ１のノイズ解析）、ノイズ情報伝達パケットを送信する（ステップ２の情報送信）。装置Ａは、ノイズ情報伝達パケットを受信し（ステップ３の情報受信）、送信レベルの調整を行う（ステップ４の送信調整）。
【００５３】
次に、本発明の第１の実施例の変形例について説明する。ノイズにより高速信号の伝送が困難となった場合、ノイズ情報伝達パケットの伝達は不可能となり、ネットワークの復旧ができなくなる。
【００５４】
このような場合、図６に示すように、予め決められた低速のレート（異常時のレート）で信号（パルス信号）を送り、情報を伝達する。この場合、ノイズ情報伝達パケットを伝送するよりも伝達時間はかかるが、大きなノイズにも対応できるネットワークシステムの構築を可能としている。前記第１の実施例において、ノイズにより高速信号の伝送が困難となった場合、変形例（低速パルス信号によるノイズ情報の送信）に切替え制御するようにしてもよい。
【００５５】
次に、本発明の第２の実施例について説明する。図５は、本発明の第２の実施例の構成を示す図である。本実施例は、回路構成としては、図１と同一構成とされているが、制御機能が相違している。すなわち、本実施例では、ノイズ情報伝達パケットを利用せずに、一つの装置内で自動調整を行う。本実施例においては、ノイズ情報伝達パケット＋コントロール部１０９によるノイズ情報伝達パケットの生成、及び、受信したノイズ情報伝達パケットからのノイズ情報の抽出は行われない。このため、図５において、ノイズ情報伝達パケット生成＋コントロール部１０９を削除した構成としてもよい。なお、図５において、太矢線の下の括弧内の数字は、処理手順（ステップ）の番号を表している。
【００５６】
ステップ１：監視回路１０５で入力レベルを監視する。
【００５７】
ステップ２：サンプリング解析部１０６で監視結果の解析を行う。
【００５８】
ステップ３：サンプリング解析部１０６による解析結果を、補正指示回路１０７が取り込む。
【００５９】
ステップ４：補正指示回路１０７は、解析結果に基づき、出力回路１０３に補正指示を出す。出力回路１０３は、補正指示回路１０７からの補正指示に応じて出力レベルを変更する。
【００６０】
補正指示回路１０７は、レジスタ１０８に記録されている過去の監視結果の解析情報と、サンプリング解析部１０６による監視結果の解析情報から、補正指示を出力するようにしてもよい。
【００６１】
本発明の第２の実施例の構成は、例えば図４の装置Ａ、装置Ｂのように、一対一接続されたときに有効である。この場合、同じ伝送路（ライン）を共有しているため、伝送距離が短い場合、比較的近い特性のノイズを共有している。この場合、図４のステップ２の情報送信は不要とされ（装置Ａに対してノイズ情報を送る必要はない）、自装置の送信レベル（装置Ｂの出力回路１０３の出力レベル）を調整すればよい。
【００６２】
本発明の第２の実施例は、前記第１の実施例に比べて、小規模の回路構成により実現することができる。
【００６３】
また、前記第１の実施例において、例えば、頻繁にノイズ環境が変わる場合には、ノイズ情報伝達パケットの送信頻度をあげて細かく調整する必要がある。この場合、通常のデータ伝送のための帯域に影響を与えることになる。
【００６４】
これに対して、本発明の第２の実施例では、ノイズ情報伝達パケットを伝送路に転送しないため、通常のデータ転送の妨げにならない。すなわち、データ伝送帯域が確保される。
【００６５】
このように、前記第１及び第２の実施例によれば、ノイズ環境に脆弱であったネットワークシステムに対し、ネットワークにつながる各ノード装置（インタフェース装置）に、ノイズ情報伝達機構を具備することにより、ノイズ耐性を向上し、安定したネットワークシステムを実現することができる。
【００６６】
以上本発明を上記実施例に即して説明したが、本発明は上記実施例の構成にのみに限定されるものでなく、本発明の範囲内で当業者であればなし得るであろう各種変形、修正を含むことは勿論である。
【図面の簡単な説明】
【００６７】
【図１】本発明の第１の実施例の構成及び動作を説明する図である。
【図２】本発明の第１の実施例の構成及び動作を説明する図である。
【図３】本発明の第１の実施例の装置を備えたネットワークシステムの動作を説明する図である。
【図４】本発明の第１の実施例の装置を備えたネットワークシステムの動作を説明する図である。
【図５】本発明の第２の実施例の構成及び動作を説明する図である。
【図６】本発明の第１の実施例において、ノイズ情報の伝送の変形例を説明する図である。
【図７】従来のインタフェース装置の典型的な構成を示す図である。
【図８】（Ａ）乃至（Ｄ）は従来の装置のネットワーク構成を示す図である。
【符号の説明】
【００６８】
１０１、２０１  上位ロジック
１０２、２０２  データ送受信ロジック
１０３、２０３  出力回路
１０４、２０４  入力回路
１０５  監視回路
１０６  サンプリング解析部
１０７  補正指示回路
１０８  レジスタ
１０９  ノイズ情報伝達パケット生成＋コントロール部
【図１】
2006333239.tif 000003
【図２】
2006333239.tif 000004
【図３】
2006333239.tif 000005
【図４】
2006333239.tif 000006
【図５】
2006333239.tif 000007
【図６】
2006333239.tif 000008
【図７】
2006333239.tif 000009
【図８】
2006333239.tif 000010